(57)【要約】【課題】通信を開始するまでの時間を大幅に長くすることなく、低消費電力化が可能な受信装置および無線通信装置を提供する。【解決手段】実施形態によれば、受信装置は、受信アナログ回路と、フレーム検出部と、制御部とを備えている。前記受信アナログ回路は、消費電力の異なる複数のモードのいずれかを選択可能で、選択されたモードに応じた精度で、アンテナが受信したアナログ信号を処理してデジタル信号を生成する。前記フレーム検出部は、前記デジタル信号から所定のフレームを検出する。前記制御部は、前記所定のフレームが検出されるまでは、前記受信アナログ回路を第１モードで動作させ、前記所定のフレームが検出されると、前記受信アナログ回路を前記第１モードよりも高消費電力の第２モードで動作させる。【選択図】図１
2014131203.tif 000002
【特許請求の範囲】
【請求項１】
消費電力の異なる複数のモードのいずれかを選択可能で、選択されたモードに応じた精度で、アンテナが受信したアナログ信号を処理してデジタル信号を生成する受信アナログ回路と、
前記デジタル信号から所定のフレームを検出するフレーム検出部と、
前記所定のフレームが検出されるまでは、前記受信アナログ回路を第１モードで動作させ、前記所定のフレームが検出されると、前記受信アナログ回路を前記第１モードよりも高消費電力の第２モードで動作させる制御部と、を備え、
前記受信アナログ回路は、
前記受信したアナログ信号の帯域を、無線周波数帯域からベースバンド帯域に変換するＲＦ回路と、
前記ＲＦ回路の出力信号に対してフィルタリング処理を行うベースバンド回路と、
前記ベースバンド回路の出力信号を前記デジタル信号に変換するＡＤ変換器と、を有し、
前記ＲＦ回路は、
前記受信したアナログ信号を増幅する第１の増幅器と、
基準信号を生成する発振器と、
前記基準信号を用いて、前記第１の増幅器の出力信号の帯域を無線周波数帯域からベースバンド帯域へ変換するミキサと、を有し、
前記ベースバンド回路は、
前記ミキサの出力信号に対してフィルタリング処理を行うフィルタと、
前記フィルタの出力信号を増幅する第２の増幅器と、を有し、
前記制御部は、前記第１モードであるか前記第２モードであるかに応じて、前記第１の増幅器、前記フィルタおよび前記第２の増幅器の少なくとも１つに流れる電流の量を調整し、
前記制御部は、終端フレームが検出されると、前記受信アナログ回路を前記第１モードで動作させ、
前記制御部は、前記所定のフレームが検出されると、前記受信アナログ回路を第２モードで動作させ、その後、予め定めた期間内に前記所定のフレームが再び検出されない場合、前記受信アナログ回路を第１モードで動作させ、
前記フレーム検出部は、前記デジタル信号が、予め定めたフレーム開始パターンとの相関値が閾値を超えるパターンを含むか否かに基づいて前記所定のフレームを検出し、
前記制御部は、前記所定のフレームが検出されるまでは、前記閾値を第１の値に設定し、前記所定のフレームが検出されると、前記閾値を前記第１の値より高い第２の値に設定することを特徴とする受信装置。
【請求項２】
消費電力の異なる複数のモードのいずれかを選択可能で、選択されたモードに応じた精度で、アンテナが受信したアナログ信号を処理してデジタル信号を生成する受信アナログ回路と、
前記デジタル信号から所定のフレームを検出するフレーム検出部と、
前記所定のフレームが検出されるまでは、前記受信アナログ回路を第１モードで動作させ、前記所定のフレームが検出されると、前記受信アナログ回路を前記第１モードよりも高消費電力の第２モードで動作させる制御部と、を備えることを特徴とする受信装置。
【請求項３】
前記受信アナログ回路は、
前記受信したアナログ信号の帯域を、無線周波数帯域からベースバンド帯域に変換するＲＦ回路と、
前記ＲＦ回路の出力信号に対してフィルタリング処理を行うベースバンド回路と、
前記ベースバンド回路の出力信号を前記デジタル信号に変換するＡＤ変換器と、を有し、
前記制御部は、前記第１モードであるか前記第２モードであるかに応じて、前記ＲＦ回路および前記ベースバンド回路の少なくとも一方に流れる電流の量を調整することを特徴とする請求項２に記載の受信装置。
【請求項４】
前記ＲＦ回路は、
前記受信したアナログ信号を増幅する第１の増幅器と、
基準信号を生成する発振器と、
前記基準信号を用いて、前記第１の増幅器の出力信号の帯域を無線周波数帯域からベースバンド帯域へ変換するミキサと、を有し、
前記ベースバンド回路は、
前記ミキサの出力信号に対してフィルタリング処理を行うフィルタと、
前記フィルタの出力信号を増幅する第２の増幅器と、を有し、
前記制御部は、前記第１モードであるか前記第２モードであるかに応じて、前記第１の増幅器、前記フィルタおよび前記第２の増幅器の少なくとも１つに流れる電流の量を調整することを特徴とする請求項３に記載の受信装置。
【請求項５】
前記受信アナログ回路は、
前記受信したアナログ信号の帯域を、無線周波数帯域からベースバンド帯域へ変換するＲＦ回路と、
前記ＲＦ回路の出力信号に対してフィルタリング処理を行うベースバンド回路と、
前記ベースバンド回路の出力信号を前記デジタル信号に変換するＡＤ変換器であって、出力ビット数が可変であるＡＤ変換器と、を有し、
前記第１モードに比べて、前記第２モードでは、前記ＡＤ変換器が出力する前記デジタル信号のビット数が多いことを特徴とする請求項２に記載の受信装置。
【請求項６】
前記受信アナログ回路は、
前記受信したアナログ信号の帯域を、無線周波数帯域からベースバンド帯域へ変換するＲＦ回路と、
前記ＲＦ回路の出力信号に対してフィルタリング処理を行うベースバンド回路と、
前記ベースバンド回路の出力信号を、２ビット以上の第１のデジタル信号に変換するＡＤ変換器と、
前記ベースバンド回路の出力信号を、１ビットの第２のデジタル信号に変換するコンパレータと、を有し、
前記第１モードでは、前記制御部は前記ＡＤ変換器を停止させて前記第２のデジタル信号を前記フレーム検出部に供給し、前記フレーム検出部は前記第２のデジタル信号から前記所定のフレームを検出し、
前記第２モードでは、前記制御部は前記ＡＤ変換器を動作させて前記第１のデジタル信号を前記フレーム検出部に供給し、前記フレーム検出部は前記第１のデジタル信号から前記所定のフレームを検出することを特徴とする請求項２に記載の受信装置。
【請求項７】
前記制御部は、終端フレームが検出されると、前記受信アナログ回路を前記第１モードで動作させることを特徴とする請求項２乃至６のいずれかに記載の受信装置。
【請求項８】
前記制御部は、前記所定のフレームが検出されると、前記受信アナログ回路を第２モードで動作させ、その後、予め定めた期間内に前記所定のフレームが再び検出されない場合、前記受信アナログ回路を第１モードで動作させることを特徴とする請求項２乃至７のいずれかに記載の受信装置。
【請求項９】
前記フレーム検出部は、前記デジタル信号が、予め定めたフレーム開始パターンとの相関値が閾値を超えるパターンを含むか否かに基づいて前記所定のフレームを検出し、
前記制御部は、前記所定のフレームが検出されるまでは、前記閾値を第１の値に設定し、前記所定のフレームが検出されると、前記閾値を前記第１の値より高い第２の値に設定することを特徴とする請求項２乃至８のいずれかに記載の受信装置。
【請求項１０】
アンテナから信号を受信する受信部と、
前記アンテナから信号を送信する送信部と、を備え、
前記受信部は、
消費電力の異なる複数のモードのいずれかを選択可能で、選択されたモードに応じた精度で、アンテナが受信したアナログ信号を処理してデジタル信号を生成する受信アナログ回路と、
前記デジタル信号から所定のフレームを検出するフレーム検出部と、
前記所定のフレームが検出されるまでは、前記受信アナログ回路を第１モードで動作させ、前記所定のフレームが検出されると、前記受信アナログ回路を前記第１モードよりも高消費電力の第２モードで動作させる制御部と、を有することを特徴とする無線通信装置。
【発明の詳細な説明】
【技術分野】
【０００１】
本発明の実施形態は、受信装置および無線通信装置に関する。
【背景技術】
【０００２】
無線通信装置では低消費電力化が強く求められている。待ち受け時の消費電力を削減するために、通信を行うときだけ無線通信装置を起動させるようにすると、起動や設定がユーザにとって手間になるという問題がある。そこで、間欠動作を行って低消費電力とユーザの利便性とを両立させることも考えられる。しかしながら、間欠動作のために通信を開始するまでの時間が長くなってしまい、通信に支障が生じるおそれがある。
【先行技術文献】
【特許文献】
【０００３】
【特許文献１】特開２００４−１６４５６６号公報
【発明の概要】
【発明が解決しようとする課題】
【０００４】
通信を開始するまでの時間を大幅に長くすることなく、低消費電力化が可能な受信装置および無線通信装置を提供する。
【課題を解決するための手段】
【０００５】
実施形態によれば、受信装置は、受信アナログ回路と、フレーム検出部と、制御部とを備えている。前記受信アナログ回路は、消費電力の異なる複数のモードのいずれかを選択可能で、選択されたモードに応じた精度で、アンテナが受信したアナログ信号を処理してデジタル信号を生成する。前記フレーム検出部は、前記デジタル信号から所定のフレームを検出する。前記制御部は、前記所定のフレームが検出されるまでは、前記受信アナログ回路を第１モードで動作させ、前記所定のフレームが検出されると、前記受信アナログ回路を前記第１モードよりも高消費電力の第２モードで動作させる。
【図面の簡単な説明】
【０００６】
【図１】第１の実施形態に係る受信装置１００の概略構成を示すブロック図。
【図２】受信アナログ回路１０の各部の内部構成の一例を示すブロック図。
【図３】ＬＮＡ１１１に流れる電流の量と、利得あるいはＳ／Ｎ比との関係を模式的に示す図。
【図４】フィルタ１２１の周波数特性を模式的に示す図。
【図５】ＡＤ変換器１３に流れる電流の量と、出力ビット数との関係を模式的に示す図。
【図６】フレーム構成の一例を示す図。
【図７】フレーム検出部２１の処理動作を説明する図。
【図８】閾値と検出エラー率との関係を模式的に示す図。
【図９】受信装置１００の処理動作の一例を示すフローチャート。
【図１０】第２の実施形態に係る受信装置１００ａの概略構成を示すブロック図。
【図１１】無線通信装置の概略構成を示すブロック図。
【発明を実施するための形態】
【０００７】
以下、実施形態について、図面を参照しながら具体的に説明する。
【０００８】
（第１の実施形態）
図１は、第１の実施形態に係る受信装置１００の概略構成を示すブロック図である。受信装置１００は、受信アナログ回路１０と、受信デジタル回路２０とを備えている。
【０００９】
受信アナログ回路１０は、アンテナ（不図示）が受信したアナログ信号を処理して、デジタル信号を生成する。受信アナログ回路１０は、ＲＦ回路１１と、ベースバンド（ＢＢ）回路１２と、ＡＤ変換器（ＡＤＣ）１３とを有する。
【００１０】
ＲＦ回路１１は、受信したアナログ信号の帯域を、無線周波数帯域からベースバンド帯域に変換する。ベースバンド回路１２は、ベースバンド帯域に変換されたアナログ信号から所望の周波数帯域の信号を取り出すフィルタリング処理を行って、不要な周波数成分を除去する。ＡＤ変換器１３は、ベースバンド回路１２の出力信号をデジタル信号に変換し、受信デジタル回路２０に供給する。
【００１１】
ここで、受信アナログ回路１０は、消費電力の異なる複数のモードのいずれかを選択可能であり、例えば低消費電力モード（第１モード）で動作することもできるし、高消費電力モード（第２モード）で動作することもできる。低消費電力モードでは、受信アナログ回路１０の消費電力が抑制されるが、アナログ信号からデジタル信号への変換精度は高くない。一方、高消費電力モードでは、受信アナログ回路１０の消費電力が大きくなるが、アナログ信号を高精度にデジタル信号に変換できる。ここでの精度とは、Ｓ／Ｎ比や妨害波の影響度合い等を意味する。
【００１２】
本実施形態では、低消費電力モードと高消費電力モードとを適切に切り替えることで、全体として低消費電力かつ通信開始の応答速度が早い受信装置１００を提供できる。具体的な低消費電力モードおよび高消費電力モードでの動作については、後に例を説明する。
【００１３】
受信デジタル回路２０は、フレーム検出部２１と、同期処理部２２と、復調部２３と、制御部２４とを有する。フレーム検出部２１はデジタル信号から所定のフレームを検出する。フレーム検出部２１は、検出したフレームを同期処理部２２へ供給するとともに、検出した旨を制御部２４に通知する。同期処理部２２は検出されたフレームに対して同期処理を行う。復調部２３はフレームの復調処理を行って、フレームからデータを取り出す。また、復調したフレームが一連のフレーム群の最終フレーム（以下、終端フレームという）である場合、復調部２３はその旨を制御部２４に通知する。制御部２４は受信アナログ回路１０および受信デジタル回路２０内の各部を制御する。
【００１４】
制御部２４についてより詳しく説明する。制御部２４は、フレーム検出部２１がフレームを検出するまでは、受信アナログ回路１０を低消費電力モードで動作させる。フレームを検出するだけであれば、必ずしもアナログ信号からデジタル信号への変換精度は高くなくてもよい。よって、フレームが検出されるまでは受信アナログ回路１０を低消費電力モードとすることで、消費電力を抑えることができる。
【００１５】
ただし、低消費電力モードで受信したフレームは、精度が高くないために、正確に復調できないこともある。そこで、制御部２４は、フレーム検出部２１がフレームを検出すると、受信アナログ回路１０を高消費電力モードで動作させる。これにより、受信アナログ回路１０は高精度にデジタル信号を生成でき、復調部２３は正確に復調処理を行うことができる。
【００１６】
なお、低消費電力モード時に受信した初めのフレームを正確に復調できないこともあるが、その場合、同じフレームが再送され、再送されたフレームを受信できるので特に問題はない。
【００１７】
このように、常にフレーム検出処理を行っているため、フレームが検出されると迅速に高消費電力モードに切り替えることができ、通信開始の応答時間が大幅に長くなることはない。
【００１８】
その後、終端フレームが受信されると、制御部２４は受信アナログ回路１０を再び低消費電力モードで動作させる。
【００１９】
また、制御部２４は、フレーム検出後に、同期処理部２２や復調部２３を起動させるようにしてもよい。さらに、制御部２４は、低消費電力モードで受信したフレーム検出後には同期処理部２２や復調部２３を起動させず、高消費電力モードで受信したフレーム検出後に同期処理部２２や復調部２３を起動させるようにしてもよい。
【００２０】
以下、各部と動作モードとの関係について、より詳細に説明する。図２に、受信アナログ回路１０の各部の内部構成の一例を示すブロック図を示す。
【００２１】
ＲＦ回路１１は、ＬＮＡ（Low Noise Amplifier、第１の増幅器）１１１と、発振器１１２と、ミキサ１１３とを有する。ＬＮＡ１１１はアンテナが受信したアナログ信号を増幅する。発振器１１２は所定周波数の局発（Local Oscillator）信号を生成する。ミキサ１１３は、ＬＮＡ１１１の出力と局発信号とを混合して、無線周波数帯域のアナログ信号をベースバンド帯域のアナログ信号に変換する周波数変換を行う。
【００２２】
ベースバンド回路１２は、フィルタ１２１と、ＶＧＡ（Variable Gain Amplifier）１２２とを有する。フィルタ１２１はミキサ１１３の出力信号から不要な周波数成分を除去する。ＶＧＡ１２２はフィルタ１２１の出力を増幅する。
【００２３】
制御部２４は、ＲＦ回路１１、ベースバンド回路１２およびＡＤ変換器１３の少なくとも１つを制御して、受信アナログ回路１０を高消費電力モードまたは低消費電力モードに設定できる。
【００２４】
例えば、制御部２４は、高消費電力モードであるか低消費電力モードであるかに応じて、ＬＮＡ１１１に流れる電流を調整する。図３は、ＬＮＡ１１１に流れる電流の量と、利得あるいはＳ／Ｎ比との関係を模式的に示す図である。図示のように、電流量が多いほど、利得は高くなり、Ｓ／Ｎ比は向上する。すなわち、電流量が多いほど、ＬＮＡ１１１は精度よく入力信号を増幅できる。よって、上述のように、高消費電力モードではＬＮＡ１１１に流れる電流量を大きくすることで、受信アナログ回路１０は高精度にデジタル信号を生成できる。一方、低消費電力モードでは、フレーム検出部２１がフレーム検出を行える程度に、ＬＮＡ１１１に流れる電流量を小さくすればよい。
【００２５】
同様に、制御部２４は、高消費電力モードであるか低消費電力モードであるかに応じて、ＶＧＡ１２２に流れる電流を調整してもよい。ＶＧＡ１２２においても、電流量と、利得あるいはＳ／Ｎ比との関係は図３と同様である。よって、高消費電力モードでは流れるＶＧＡ１２２に電流量を大きく、低消費電力モードではＶＧＡ１２２に流れる電流量を小さくしてもよい。
【００２６】
また、制御部２４は、高消費電力モードであるか低消費電力モードであるかに応じて、フィルタ１２１の周波数特性を調整してもよい。図４は、フィルタ１２１の周波数特性を模式的に示す図であり、横軸は周波数、縦軸は利得である。また、実線は高消費電力モードでの周波数特性を示しており、破線は低消費電力モードでの周波数特性を示している。
【００２７】
フィルタ１２１に流れる電流の量を大きくすると、フィルタ１２１は中心周波数を中心として比較的狭い範囲の周波数帯域を取り出すことができる。よって、異なる周波数帯域の妨害波の影響を小さくすることができ、結果として受信アナログ回路１０は精度よくデジタル信号を生成できる。
【００２８】
一方、フィルタ１２１に流れる電流の量を小さくすると、フィルタ１２１は中心周波数を中心として比較的ブロードな周波数帯域を取り出すことになる。
【００２９】
このようなフィルタ１２１の周波数特性を踏まえ、制御部２４は、高消費電力モードにおいてはフィルタ１２１に流す電流量を大きくする。そして、低消費電力モードにおいては、フレーム検出部２１がフレーム検出を行える程度に、フィルタ１２１に流す電流量を小さくしてもよい。
【００３０】
また、ＡＤ変換器１３が、出力信号のビット数を可変調整できる場合、高消費電力モードであるか低消費電力モードであるかに応じて、そのビット数を調整してもよい。図５は、ＡＤ変換器１３に流れる電流の量と、出力ビット数との関係を模式的に示す図である。同図に示すように、出力ビット数を多くするのほど流れる電流量が大きくなる。そこで、高消費電力モードにおいては出力ビット数を多くする。これにより受信アナログ回路１０は高精度にデジタル信号を生成できる。一方、低消費電力モードにおいては、フレーム検出部２１がフレーム検出を行える程度に、出力ビット数を小さくする。
【００３１】
以上説明したように、制御部２４は、ＲＦ回路１１、ベースバンド回路１２およびＡＤ変換器１３のうちの少なくとも１つ、より具体的には、ＬＮＡ１１１、フィルタ１２１、ＶＧＡ１２２およびＡＤ変換器１３のうちの少なくとも１つを制御することで、受信アナログ回路１０を、精度よくデジタル信号を生成する高消費電力モードまたは消費電力を抑えた低消費電力モードで、動作させることができる。
【００３２】
ところで、低消費電力モードでは、必ずしも高精度にデジタル信号が生成されるわけではなく、利得が不十分であったり、ノイズを含んでいたり、妨害波の影響を受けていたりすることもある。よって、低消費電力モードでは、多少の誤検出があったとしても、フレーム検出見逃しを避けるべく、できるだけフレームが検出されやすいような設定にしておくのが望ましい。
【００３３】
図６は、フレーム構成の一例を示す図である。１つのフレームは、プリアンブルＰと、ヘッダＨと、データＤとから構成される。プリアンブルには予め定めたフレーム開始パターンなどを含んでいる。ヘッダＨはフレーム構成を示しており、例えば何ビットのデータＤが続くのかなどを示す。データＤは受信装置１００に伝えるべきデータである。
【００３４】
図６に示すように、１つのフレームがされた後、さらに所定の期間Ｔ０の後に、次のフレームが送信される。通常、フレーム送信を失敗すると、同じフレームを再送する。もしくは、フレーム送信の成否に関わらず、データを確実に伝送するために、同じフレームを複数回送信する。よって、本実施形態では、１つ目のフレームで有効なフレームが送信されたことを検出し、２つ目のフレーム以降に対してフレームを復調してデータＤを得ればよい。
【００３５】
図７は、フレーム検出部２１の処理動作を説明する図である。フレーム検出部２１はマッチドフィルタ処理によりフレームを検出する。より具体的には、フレーム検出部２１は、デジタル信号が、所定のフレーム開始パターンとの相関値が閾値を超えるパターンを含むか否かに基づいて、フレームを検出する。
【００３６】
図７では、簡易的にフレーム開始パターンが５ビットの“１１０１１”である例を描いている。図７（ａ）に示すように、デジタル信号をシフトレジスタでシフトさせながら、フレーム開始パターンとの相関値を算出する。そして、図７（ｂ）に示すように、フレーム検出部２１は、相関値が閾値を超えていれば、フレームが存在すると判断する。
【００３７】
図８は、閾値と検出エラー率との関係を模式的に示す図である。同図の破線で示すように、検出見逃し率は、閾値を低く設定することで小さくすることができ、閾値をある程度高くすると大きくなる。一方、同図の実線で示すように、誤検出率は、閾値を高く設定することで小さくすることができ、閾値をある程度小さくすると大きくなる。このように、閾値を調整することで、仮に受信アナログ回路１０が生成するデジタル信号の精度が低くても、誤検出を許容することで、検出見逃し率を小さくできる。
【００３８】
そこで、低消費電力モードでは、多少の誤検出はやむを得ないものとして、制御部２４はフレーム検出部２１の閾値を低く設定する（第１の値ＴｈＬ）。これにより、受信アナログ回路１０の動作精度が高くなくても、フレームの検出見逃しを減らすことができる。
【００３９】
一方、高消費電力モードでは、誤検出および検出見逃しの両方を抑えることができる最適な閾値に設定する（第２の値ＴｈＨ）。図８から明らかなように、高消費電力モードでの閾値ＴｈＨは低消費電力モードでの閾値ＴｈＬより高い。
【００４０】
図９は、受信装置１００の処理動作の一例を示すフローチャートである。フレームが検出されるまで、制御部２４は、受信アナログ回路１０を低消費電力モードに設定するとともに、フレーム検出部２１の閾値を低い値ＴｈＬに設定する（ステップＳ１）。これにより、受信装置１００は待ち受け状態となる（ステップＳ２）。この待ち受け状態は、消費電力が低く、かつ、フレームが検出されやすい状態である。
【００４１】
待ち受け状態でフレーム検出部２１がフレームを検出すると（ステップＳ３のＹＥＳ）、制御部２４は、受信アナログ回路１０を高消費電力モードに設定するとともに、フレーム検出部２１の閾値を高い値ＴｈＨに設定する（ステップＳ４）。これにより、受信装置１００は待ち受け状態となる（ステップＳ５）。この待ち受け状態はステップＳ２の待ち受け状態とは異なり、消費電力が高いが正確にフレームを検出および復調できる状態である。
【００４２】
ここで、フレーム検出部２１が所定期間内に再度フレームを検出できなかった場合（ステップＳ６のＮＯ）、ステップＳ１に戻って制御部２４は、受信アナログ回路１０を低消費電力モードに設定するとともに、フレーム検出部２１の閾値を低い値ＴｈＬに設定する。上記の所定期間は、例えば図６に示す期間Ｔ０より若干大きく設定する。
【００４３】
ステップＳ３でのフレーム検出が正しければ、期間Ｔ０の後に、再びフレームが検出されるはずである。しかしながら期間Ｔ０の後にフレームが検出されなければ、そもそもステップＳ３のフレーム検出が誤検出であった可能性が高い。図８に示すように、このような誤検出は想定されている。そこで、所定期間内に２つ目のフレームが検出されなければ、受信アナログ回路１０は低消費電力モードに戻る。
【００４４】
一方、ステップＳ３でのフレーム検出が正しければ、期間Ｔ０の後に、再びフレームが検出される（ステップＳ６のＹＥＳ）。この場合、制御部２４は同期処理部２２を起動して同期処理を行うとともに（ステップＳ７）、復調部２３を起動して復調処理を行う（ステップＳ８）。
【００４５】
復調の結果、受信したフレームが所定の最終フレームであれば（ステップＳ９のＹＥＳ）、引き続いてフレームが受信される可能性は低いので、ステップＳ１に戻って制御部２４は、受信アナログ回路１０を低消費電力モードに設定するとともに、フレーム検出部２１の閾値を低い値ＴｈＬに設定する。最終フレームでなければ（ステップＳ９のＮＯ）、ステップＳ６〜Ｓ８の受信処理を継続する。
【００４６】
このように、第１の実施形態では、フレームが受信されるまでは受信アナログ回路１０を低消費電力モードで動作させ、フレームが受信されると高消費電力モードで動作させる。そのため、通信開始までの時間を大幅に長くすることなく、受信装置１００を低消費電力化できる。
【００４７】
（第２の実施形態）
以下に説明する第２の実施形態は、低消費電力モードにおいてはＡＤ変換器１３の動作を停止するものである。
【００４８】
図１０は、第２の実施形態に係る受信装置１００ａの概略構成を示すブロック図である。図１０では、図１と共通する構成部分には同一の符号を付しており、以下では相違点を中心に説明する。
【００４９】
同図の受信アナログ回路１０ａは、さらに、コンパレータ（ＣＭＰ）１４と、選択部（ＳＥＬ）１５とを有する。ＡＤ変換器１３がベースバンド回路１２の出力信号を２ビット以上のデジタル信号（第１のデジタル信号）に変換するのに対し、コンパレータ１４はベースバンド回路１２の出力信号を１ビットのデジタル信号（第２のデジタル信号）に変換する。出力ビット数の違いに起因して、ＡＤ変換器１３の消費電力はコンパレータ１４の消費電力より高い。また選択部１５は、ＡＤ変換器１３およびコンパレータ１４の出力の一方を選択して、受信デジタル回路２０ａに出力する。
【００５０】
また、受信デジタル回路２０ａの制御部２４ａは、ＡＤＣ１３、コンパレータ１４および選択部１５を制御する。
【００５１】
低消費電力モードでは、制御部２４ａはＡＤ変換器１３を停止させ、コンパレータ１４のみを動作させる。そして、制御部２４ａは選択部１５を制御して、コンパレータ１４の出力を受信デジタル回路２０ａに出力させる。フレーム検出部２１は１ビットのデジタル信号からフレーム検出を行う。デジタル信号が１ビットになるため誤検出が多くなるが、その分受信アナログ回路１０ａの消費電力を大幅に削減できる。
【００５２】
もちろん、低消費電力モードでは、フレーム検出部２１の閾値を低く設定しておくのが望ましい。また、さらに消費電力を削減するために、ベースバンド回路１２を停止させ、ＲＦ回路１１の出力を直接コンパレータ１４に入力してもよい。
【００５３】
一方、高消費電力モードでは、制御部２４ａはＡＤ変換器１３を動作させる。そして、制御部２４ａは選択部１５を制御して、ＡＤ変換器１３の出力を受信デジタル回路２０ａに出力させる。これにより、フレーム検出部２１は正確にフレームを検出できる。
【００５４】
なお、第２の実施形態においても、高消費電力モードであるか低消費電力モードであるかに応じて、制御部２４ａがＲＦ回路１１および／またはベースバンド回路１２を制御してもよい。
【００５５】
このように、第２の実施形態では、低消費電力モードではＡＤ変換器１３を停止させて、コンパレータ１４を用いる。そのため、さらに消費電力を抑えることができる。
【００５６】
なお、図１０では、受信アナログ回路１０ａが選択部１５を有する例を示しているが、選択部１５を受信デジタル回路２０ａ内に設けてもよい。この場合、ＡＤ変換器１３およびコンパレータ１４の出力を受信アナログ回路１０ａから受信デジタル回路２０ａに送信すればよい。
【００５７】
（第３の実施形態）
上述した第１および第２の実施形態は、受信装置に関するものであった。これに対し、以下に説明する第３の実施形態は、受信機能だけでなく送信機能をも有する無線通信装置に関する。
【００５８】
図１１は、無線通信装置の概略構成を示すブロック図である。無線通信装置は、受信部１００（１００ａ）と、送信部２００と、スイッチ（ＳＷ）３００とを備えている。
【００５９】
受信部１００（１００ａ）はアンテナから信号を受信するものであり、第１の実施形態で説明した受信装置１００または第２の実施形態で説明した受信装置１００ａである。
【００６０】
送信部２００はアンテナから信号を送信する。具体的な構成例として、送信部２００は、送信すべきデータを変調する変調部と、変調部の出力信号をアナログ信号に変換するＤＡ変換器と、このアナログ信号を無線周波数に変換するミキサと、ミキサの出力信号を増幅する増幅器とを有する。
【００６１】
スイッチ３００は、送信部が生成した信号をアンテナから送信するか、アンテナが受信した信号を受信部に供給するか、を切り替える。
【００６２】
このようにして、受信部１００および送信部２００を備える無線通信装置においても、受信部を高消費電力モードおよび低消費電力モードで切り替えることで、通信開始までの時間を大幅に長くすることなく、無線通信装置を低消費電力化できる。
【００６３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６４】
１０，１０ａ  受信アナログ回路
１１  ＲＦ回路
１１１  ＬＮＡ
１１２  発振器
１１３  ミキサ
１２  ベースバンド回路
１２１  フィルタ
１２２  ＶＧＡ
１３  ＡＤ変換器
１４  コンパレータ
１５  選択部
２０，２０ａ  受信デジタル回路
２１  フレーム検出部
２２  同期処理部
２３  復調部
２４，２４ａ  制御部
１００，１００ａ  受信装置（受信部）
２００  送信部
３００  スイッチ
【図１】
2014131203.tif 000003
【図２】
2014131203.tif 000004
【図３】
2014131203.tif 000005
【図４】
2014131203.tif 000006
【図５】
2014131203.tif 000007
【図６】
2014131203.tif 000008
【図７】
2014131203.tif 000009
【図８】
2014131203.tif 000010
【図９】
2014131203.tif 000011
【図１０】
2014131203.tif 000012
【図１１】
2014131203.tif 000013